(57)【要約】  【課題】  本発明の目的は、市販の蛍光灯に簡単に装着でき、しかも小型でコストも安い省エネルギー型蛍光灯用アダプタ及びこれを用いた省エネルギー型蛍光灯を提供することにある。  【解決手段】  本発明の省エネルギー型蛍光灯用アダプタ１は、蛍光灯のグローランプ用ソケットに装着可能なグローランプ装着部３と、少なくとも明るさ感知センサ５または人感知センサ４のいずれか一方を有するセンサ部と、該センサ部からの信号を受信し、少なくとも蛍光灯への点灯、消灯信号を出力する制御部２０と、制御部２０からの信号を受信して蛍光灯を点灯、消灯させるスイッチ２１とを有することを特徴としている。  【選択図】  図１
2008060027.tif 000002
【特許請求の範囲】
【請求項１】
蛍光灯のグローランプ用ソケットに装着可能な取付け部と、少なくとも明るさ感知センサまたは人感知センサのいずれか一方を有するセンサ部と、該センサ部からの信号を受信し、少なくとも蛍光灯への点灯、消灯信号を出力する制御部と、該制御部からの信号を受信して蛍光灯を点灯、消灯させるスイッチとを有することを特徴とする省エネルギー型蛍光灯用アダプタ。
【請求項２】
請求項１記載の省エネルギー型蛍光灯用アダプタを、蛍光灯のグローランプ用ソケットに装着したことを特徴とする省エネルギー型蛍光灯。
【発明の詳細な説明】
【技術分野】
【０００１】
本発明は、既存の蛍光灯に簡単に装着できる省エネルギー型蛍光灯用アダプタ及びこれを用いた省エネルギー型蛍光灯に関するものである。
【背景技術】
【０００２】
昨今、種々の面で省エネルギーが叫ばれている。具体的に照明に関しても、例えば、マンション等のビルの廊下等、人が常時行き交う場所でないような場所にあっては、常時照明灯、例えば蛍光灯を点灯しておくことはエネルギーの無駄である。そこで従来から蛍光灯に人感知センサの如きセンサを付けておいて、例えば、人が廊下に現れたら点灯し、人が廊下を通り過ぎたら消灯するようにした、いわゆる人感知センサ付き蛍光灯が提案されている。
また日中、室内が明るい場合には消灯させておいて、夕方や雨天のため明るさが不足したら蛍光灯を点灯する、いわゆる明るさセンサ付きの蛍光灯も既に知られている。
【０００３】
しかしながら、この種のセンサ付き蛍光灯は、まだ販売数量が少ないことや、前述したようにセンサを搭載していることから価格が通常の蛍光灯よりも高い。そのため既に通常の蛍光灯を持っている一般消費者にとっては、あえてまだ使用可能な通常の蛍光灯を廃棄してまで、この種のセンサ付き蛍光灯を購入する人は極くわずかである。それ故、有効な省エネルギー手段であるにも関わらず、未だ充分普及していない、というのが実態である。
【０００４】
そこで、低コストでこの種の省エネルギー型蛍光灯を導入する方法が考えられている。例えば、特許文献１には、通常の蛍光灯の照明管ソケットに照明管の代わりに取付けするだけで、省エネルギー型蛍光灯に変えることのできる人感知センサ付照明アダプタ装置なるものが提案されている。
【０００５】
この人感知センサ付照明アダプタ装置は、通常の照明管ソケットに取付け、電源を供給するための取付手段と、照明管を装着するための照明管装着手段と、前記取付手段と照明管装着手段間の電路を開閉する開閉手段と、人を感知したら信号を出力する人感知センサと、この人感知センサからの出力を受けて前記開閉手段の開閉を制御する入切制御手段と、さらにはこの入切制御手段からの入切信号を受けて照明管への電流を入れたり、切ったりする電磁開閉器とを有している。
【０００６】
【特許文献１】特開２００３−３０８７２６号公報
【発明の開示】
【発明が解決しようとする課題】
【０００７】
しかしながら、特許文献１に開示されている人感知センサ付照明アダプタ装置の場合、いわゆる照明管（蛍光灯のランプ）の部分をそっくり交換する形状のため、アダプタ本体が大型にならざるを得ない。そのため既存の蛍光灯に取付けた場合、どうしても外観が悪くなり、しかも大型の分、市販のセンサ付き蛍光灯よりは安くなるものの、やはりまだ高価格になる、と言わざるを得ない。
【０００８】
そこで本発明の目的は、市販の蛍光灯に簡単に装着でき、しかも小型でコストも安い省エネルギー型蛍光灯用アダプタ及びこれを用いた省エネルギー型蛍光灯を提供することにある。
【課題を解決するための手段】
【０００９】
前記目的を達成すべく本発明の請求項１記載の省エネルギー型蛍光灯用アダプタは、蛍光灯のグローランプ用ソケットに装着可能な取付け部と、少なくとも明るさ感知センサまたは人感知センサのいずれか一方を有するセンサ部と、該センサ部からの信号を受信し、少なくとも蛍光灯への点灯、消灯信号を出力する制御部と、該制御部からの信号を受信して蛍光灯を点灯、消灯させるスイッチとを有することを特徴とするものである。
【００１０】
また本発明の請求項２記載の省エネルギー型蛍光灯は、請求項１記載の省エネルギー型蛍光灯用アダプタを、蛍光灯のグローランプ用ソケットに装着したことを特徴とする。
【発明の効果】
【００１１】
以上のようにしてなる本発明によれば、既に市販されている蛍光灯に簡単に装着でき、しかも小型でコストも安い省エネルギー型蛍光灯用アダプタ及びこの省エネルギー型蛍光灯用アダプタを装着した省エネルギー型蛍光灯を提供することができる。
【発明を実施するための最良の形態】
【００１２】
以下に本発明の省エネルギー型蛍光灯用アダプタの一実施例を、図を用いて詳細に説明する。
図１は、本発明の省エネルギー型蛍光灯用アダプタの一実施例を示す斜視図である。図１に示す省エネルギー型蛍光灯用アダプタ１は、本体２とこの本体２の一端部に、市販の蛍光灯のグローランプ装着ソケットに装着可能なグローランプ装着部（取付け部）３を有している。
このグローランプ装着部３は、蛍光灯のグローランプがねじ込み式ならば、それに対応する雄ねじで形成され、フック式であれば同様の形状のフック式で形成される。すなわち、使用している蛍光灯のグローランプの蛍光灯への取付け部と同一形状になっている。
【００１３】
また符号４は、本体２の他端側（蛍光灯のグローランプ用ソケットに装着した際、下方を向く側）に設けられたセンサ部を構成する人感知センサで、例えば夕方家人が帰宅し、部屋に入って来たら、このセンサで感知するようになっている。
尚、この種の人感知センサとしては、例えば赤外線タイプで人体から発生する赤外線を感知する焦電センサでもよいし、あるいは超音波を用いたもの、さらにはまた近赤外線を使った反射型のようなものであってもよい。人の存在を感知できるものであればどのようなセンサであってもよい。但し、できるだけ小型のものが省エネルギー型蛍光灯用アダプタ１自体をより小型化できるので好ましい。
【００１４】
図１で符号５は、これもセンサ部を構成する明るさ感知センサである。ところで本発明にあっては、人感知センサ４あるいは明るさ感知センサ５の、いずれか一方のセンサを本体２の先端部に装着しておけばよい。ここで本体２の先端部とは、前述したように、この省エネルギー型蛍光灯用アダプタ１のグローランプ装着部３を蛍光灯のグローランプ用ソケットに装着した際、下方を向く方の端部をいう。因みに、グローランプ装着部３側が本体２の後端部になることは言うまでもない。
【００１５】
さらに符号６は、前述した人感知センサ４が人の存在を感知し、蛍光灯を点灯してから消灯するまでの時間を設定するためのつまみ、すなわち、点灯時間設定用つまみである。符号７は、明るさ感知センサ５が感知した明るさが、どの程度の明るさ以下になったとき、蛍光灯を点灯するかを設定するつまみ、すなわち、明るさ設定用つまみである。
また符号８はモニター用ＬＥＤで、例えば、この省エネルギー型蛍光灯用アダプタ１が正常に動作している場合に点灯するように設定されている。
【００１６】
また、図１において、符号１０は延長用コードを示している。この延長用コード１０の一端は符号３と同様の形状したグローランプ装着部１３で、他端には蛍光灯に設けられているグローランプ用ソケットと同形状のソケット１１が形成されている。
市販の蛍光灯において、装着されているグローランプの周辺にスペースがあまりなく、具体的には、蛍光管とグローランプ間にあまり隙間がなく、省エネルギー型蛍光灯用アダプタ１を装着し難い場合に、この延長用コード１０を使う。
実際に使用する場合には、延長用コード１０の一端のグローランプ装着部１３を、蛍光灯のグローランプ用ソケットにねじ込み、下方に垂れ下がったソケット１１に本体２のグローランプ装着部３をねじ込めばよい。
【００１７】
ここで、人感知センサ４と明るさ感知センサ５の両方のセンサを本体２に備えた場合の本発明の省エネルギー型蛍光灯用アダプタ１の動作を、図１と図２とを用いて説明する。尚、図２は本体２内に搭載されているマイコン２０（制御部）等のブロック図である。
まず、明るさ感知センサ５で部屋内の明るさを感知し、その明るさが明るさ設定用つまみ７で設定した明るさ以下になり、かつ人感知センサ４で部屋に人が入って来たことを感知したら、マイコン２０は、点灯・消灯スイッチ２１に蛍光灯を点灯するように指示を出す。その結果、点灯・消灯スイッチ２１のスイッチを入れ、波形入力２３から入力された波形を用いてタイミングを取りながら、安定器用コイルの逆起電力が大きくなるタイミングで点灯・消灯スイッチ２１を切って蛍光灯（蛍光管）を点灯する。
【００１８】
逆に、部屋から人が出て行った場合には、明るさ感知センサ５が感知した明るさが明るさ設定つまみ７で設定した明るさより暗くても、マイコン２０から点灯・消灯スイッチ２１に消灯の指示が出される。その場合、点灯・消灯スイッチ２１のスイッチを入れ、蛍光管の放電を止めてから、安定器用コイルの逆起電力が小さくなるタイミングで点灯・消灯スイッチ２１を切って蛍光灯を消灯する。
因みに、マイコン２０から点灯・消灯スイッチ２１に対して点灯、消灯の指示が出た場合の一連の動作は、市販の蛍光灯におけるグローランプの使い方と実質的には、あまり違いがない。
（市販の蛍光灯で、グローランプの一回の動作で蛍光管が点灯しないことがあるのは、タイミングによっては、逆起電力が小さい場合があるためである。）
（点灯・消灯スイッチ２１は、ＭＯＳＦＥＴと、ＭＯＳＦＥＴと、ＴＲＩＡＣのスイッチ素子３個で構成する方がより良いが、この場合、点灯、消灯の時、素子をオンオフする順番がある。しかしそれはマイコン２０が出す個々の細かい指示にあたり、そこまで説明しなくとも良いと思われるので、その説明は省略する。）
【００１９】
いずれにせよ、蛍光灯を点灯する場合には、明るさ感知センサ７で感知した部屋の明るさが設定した明るさ以下になり、かつ人感知センサ４で部屋に人がいることを感知した場合である。明るさ設定用つまみ７で設定した明るさより部屋の明るさが暗くても、人感知センサ４が人を感知しない限り蛍光灯は点灯しない。
尚、人感知センサ４が部屋の中に人がいることを感知していても、部屋の中の明るさが明るさ設定用つまみ７で設定した明るさよりも明るければ、マイコン２０は点灯・消灯スイッチ２１に消灯の指示を出し、蛍光灯は消灯する。
もちろん、この一連の動作は、前述した例に限定されるものではなく、この省エネルギー型蛍光灯用アダプタ１を適用する部屋の使用状況に応じて適宜設定すればよい。
【００２０】
以上に述べた実施例は、人感知センサ４と明るさ感知センサ５とが両方とも本体２の先端部に装着されている場合であるが、これらセンサ部のセンサ４、５のうちいずれか一方のみ装着する使い方もある。
例えば、窓が設けられていない部屋であれば、通常は、常時真っ暗であるから、人感知センサ４のみ用いて、部屋に人が入って来たら、蛍光灯が点灯するようにすればよい。
また常時何人かの人がいるような部屋の場合には、人感知センサ４は使用せずに、明るさ感知センサ５のみで蛍光灯の点灯、消灯の動作を自動的に行うこともできる。要は、この省エネルギー型蛍光灯用アダプタ１を使用する部屋の状況に応じて使い分ければよい。
【００２１】
尚、モニター用ＬＥＤ８は、本発明においては構成上必須のものではない。不要であれば装着しなくともよい。
しかしながら、例えば、モニター用ＬＥＤ８が点灯している場合、この省エネルギー型蛍光灯用アダプタ１が正常であり、消灯していたら故障していることを示すように、マイコン２０でモニター用ＬＥＤ８の点灯、消灯を制御すれば、部屋が明るく、しかも部屋に人がいる場合、蛍光灯が点灯していなくとも、この省エネルギー型蛍光灯用アダプタ１が正常である旨知ることができ、好ましい。もちろん、省エネルギー型蛍光灯用アダプタ１が故障した場合に、モニター用ＬＥＤ８が点灯するようにした使い方でもよい。
【００２２】
またモニター用電子音発生器９を本体２内に設けてもよい。使い方としては、例えば、人感知センサ４が作動して蛍光灯が点灯される前に、このモニター用電子音発生器９で心地よいチャイムを鳴らし、しかる後蛍光灯が点灯する使い方もある。
このようにすれば、暗い部屋に入って来た人が、いきなり蛍光灯が点灯して、驚かされるようなことがなくなり、好ましい。
また、蛍光灯が消灯される前に、このモニター用電子音発生器９で残り時間を知らせ、しかる後蛍光灯が消灯する使い方もある。
このようにすれば、あとどの位で消灯するかがわかり、いきなり蛍光灯が消灯して、驚かされるようなことがなくなるので心理的にも良いようである。
もちろん、不要ならこのモニター用電子音発生器９も前述したモニター用ＬＥＤ８と同様に設置する必要がない。
【００２３】
以上に述べたように、本発明の省エネルギー型蛍光灯用アダプタ１によれば、必要なときのみ蛍光灯を点灯することができるので、極めて省エネルギー効果に優れている。
なお試作品では、点灯、消灯動作以外の待機時の消費電力を0.02Ｗから0.06Ｗ程度と低く抑えることができたので、機器自体を付けた事による電力増加分はかなり少ない。
蛍光灯自体が消費する電力からすれば増加分は千分の一程度となる。
しかも、既に市販されている通常の蛍光灯のグローランプを外し、外したところにこのアダプタを装着すればよいため、装着も簡単である。
加えて、グローランプと同等か、それよりも若干大きい程度であるから、特許文献１に開示されているものよりも遥かに小型で、外観上の問題もより少なく、コストも安い。
【００２４】
このように本発明によれば、市販の、通常形状の蛍光灯に簡単に装着でき、しかも小型でコストも安い省エネルギー型蛍光灯用アダプタ及びこれを用いた省エネルギー型蛍光灯用を提供することができる。
【図面の簡単な説明】
【００２５】
【図１】本発明の省エネルギー型蛍光灯用アダプタの一実施例を示す斜視図である。
【図２】図１の本体内に収納されているマイコン等のブロック図である。
【符号の説明】
【００２６】
１  省エネルギー型蛍光灯用アダプタ
２  本体
３  グローランプ装着部
４  人感知センサ
５  明るさ感知センサ
６  点灯時間設定用つまみ
７  明るさ設定用つまみ
８  モニター用ＬＥＤ
１０  延長用コード
【図１】
2008060027.tif 000003
【図２】
2008060027.tif 000004